【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
少なくとも３層の構造を含み、前記３層の構造は、外側から内側へと順に、気体透過性材料からなる外層と、空気との接触により発熱する発熱組成物が充填され、且つ少なくとも前記外層と接触した上封止面が気体透過性材料からなる発熱層と、防水保温機能を有する材料からなる保温層とを含み、前記保温層が、ＰＥＴフィルム、配向ポリプロピレンフィルム、ナイロンフィルム、ポリエチレンフィルム又は無延伸ポリプロピレンフィルムと金属材料からなる金属被覆フィルムであることを特徴とする、自己発熱保温型フィルム。
【請求項２】
前記保温層は、ＰＥＴフィルムと金属材料からなる金属化ＰＥＴフィルムであることを特徴とする、請求項１に記載の自己発熱保温型フィルム。
【請求項３】
前記金属化ＰＥＴフィルムに使用する金属は、アルミニウム、ニッケル又はクロムの中の一種、又は複数種の混合物であることを特徴とする、請求項２に記載の自己発熱保温型フィルム。
【請求項４】
前記発熱層に格子が設けられ、前記発熱組成物は各格子内に均一に充填されることを特徴とする、請求項１に記載の自己発熱保温型フィルム。
【請求項５】
前記格子は、前記発熱層において前記外層と接触する上封止面と前記保温層と接触する下封止面とが接着スリットを介して熱接着されてなることを特徴とする、請求項４に記載の自己発熱保温型フィルム。
【請求項６】
前記外層は、天然繊維もしくは合成繊維による不織布、又は紡績布であることを特徴とする、請求項１に記載の自己発熱保温型フィルム。
【請求項７】
前記自己発熱保温型フィルムは、使用前に密封包装されていることを特徴とする、請求項１に記載の自己発熱保温型フィルム。
【請求項８】
前記発熱層における発熱組成物は、酸化可能な金属、活性炭、無機金属塩、水、高分子保湿剤、吸水剤を含むことを特徴とする、請求項１に記載の自己発熱保温型フィルム。
【請求項９】
前記フィルムは、人間工学的形状に加工され、体の各部位に付与可能であることを特徴とする、上記請求項のうちいずれか１項に記載の自己発熱保温型フィルム。
【請求項１０】
前記フィルムの前記保温層における皮膚と接触する表面上に、前記フィルムを使用者の体の部位に固定するためのハイドロゲル層が更に設けられることを特徴とする、請求項９に記載の発熱保温型フィルム。
【請求項１１】
前記ハイドロゲル層には、外用薬の活性成分、外用サプリメントの活性成分、又はスキンケア製品の活性成分を更に含有することを特徴とする、請求項１０に記載の発熱保温型フィルム。
【請求項１２】
前記フェイスマスクの前記発熱層は、発熱温度が３８−５５℃であり、発熱時間が１０−２５分間であることを特徴とする、請求項１１に記載の自己発熱保温型フィルム。
【請求項１３】
前記発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部とを含むことを特徴とする、請求項１２に記載の自己発熱保温型フィルム。
【請求項１４】
前記発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部と、珪藻土１−５重量部とを含むことを特徴とする、請求項１２に記載の自己発熱保温型フィルム。
【請求項１５】
前記フィルムは、厚さが２−８ｍｍであることを特徴とする、請求項１３又は１４に記載の自己発熱保温型フィルム。
【請求項１６】
前記フィルムは外用薬、外用サプリメント、栄養パック、スキンケア製品とを組み合わせて使用することを特徴とする、請求項９に記載の自己発熱保温型フィルムの使用方法。
【請求項１７】
立体フェイスマスクは、少なくとも２枚のシートが互いにつながって、面部の輪郭に合わせる形状になることを特徴とする、請求項１−１５のうちいずれか１項に記載の自己発熱保温型フィルムから製備された自己発熱保温型立体フェイスマスク。
【請求項１８】
前記立体フェイスマスクは、面部の左側と右側にそれぞれ対応する左シート及び右シートの二枚のシートからなり、前記左シートと右シートの先端部にそれぞれ接着材料が設けられ、且つ面部の中心線で互いに接着して面部の立体的輪郭に合わせる形状になることを特徴とする、請求項１７に記載の自己発熱保温型立体フェイスマスク。
【請求項１９】
前記左シートと右シートの先端部における人体の外鼻に対応する位置に、上から下へと外向きに突出した突出部が設けられ、前記突出部の下方に人体の口部に対応する開口部が設けられ、開口部の下部が一定のラジアンで円弧状になるように下向きに底端まで延伸し、前記左シートと右シートのそれぞれの先端部において、人体の口部に対応する開口部を除く領域に接着材料が設けられ、且つ互いに接着されることを特徴とする、請求項１８に記載の自己発熱保温型立体フェイスマスク。
【請求項２０】
前記左シートと右シートの先端部における前記突起部の上方に位置して面部の眉間に対応する位置に、内向きに少し窪んだ凹弧が設けられることを特徴とする、請求項１９に記載の自己発熱保温型立体フェイスマスク。
【請求項２１】
前記左シートと右シートの先端部における前記突起部の上方に位置して目及び眉間に対応する位置に、内向きに窪んだ凹部が設けられ、前記左シート及び右シートのそれぞれの先端部には、人体の口部に対応する開口部、及び目と眉間に対応する凹部を除く領域に接着材料が設けられ、且つ互いに接着されることを特徴とする、請求項１９に記載の自己発熱保温型立体フェイスマスク。
【請求項２２】
前記左シート及び右シートの後端に更に、フェイスマスクを人体の頭部に固定するための固定テープが設けられ、前記固定テープの尾端に面ファスナーが設けられることを特徴とする、請求項１７−２２のうちいずれか１項に記載の自己発熱保温型立体フェイスマスク。
【請求項２３】
前記立体フェイスマスクは外用薬、外用サプリメント、栄養パック、スキンケア製品とを組み合わせて使用することを特徴とする、請求項１７−２２のうちいずれか１項に記載の自己発熱保温型立体フェイスマスクの使用方法。
【請求項２４】
請求項１−１５のうちいずれか１項に記載の自己発熱保温型フィルムから製備された、自己発熱保温型フェイスマスク。
【請求項２５】
前記フェイスマスクは、人体の口部に対応する位置に孔が設けられ、鼻孔に対応する位置に開口部が設けられることを特徴とする、請求項２４に記載の自己発熱保温型フェイスマスク。
【請求項２６】
前記フェイスマスクは、目に対応する位置に孔が設けられることを特徴とする、請求項２５に記載の自己発熱保温型フェイスマスク。
【請求項２７】
前記フェイスマスクの両側に、フェイスマスクを人体の頭部に固定するための固定テープが設けられ、前記固定テープの尾端に面ファスナーが設けられることを特徴とする、請求項２５又は２６に記載の自己発熱保温型フェイスマスク。
【請求項２８】
前記フェイスマスクは外用薬、外用サプリメント、栄養パック、スキンケア製品とを組み合わせて使用することを特徴とする、請求項２４−２７のうちいずれか１項に記載の自己発熱保温型フェイスマスクの使用方法。
【請求項２９】
請求項１−１５のうちいずれか１項に記載の自己発熱保温型フィルムから製備された、自己発熱保温型アイシート。
【請求項３０】
前記アイシートは、耳掛け部を更に有し、前記耳掛け部に耳に掛けるための孔が設けられることを特徴とする、請求項２９に記載の自己発熱保温型アイシート。
【請求項３１】
前記アイシートの中心線の下半部にスリットが設けられることを特徴とする、請求項２９又は３０に記載の自己発熱保温型アイシート。
【手続補正２】
【補正対象書類名】明細書
【補正対象項目名】全文
【補正方法】変更
【補正の内容】
【発明の詳細な説明】
【発明の名称】自己発熱保温型フィルム並びにそれにより製造されたフェイスマスク及びアイシート
【技術分野】
【０００１】
本発明は、自己発熱保温型多層フィルム、特に該自己発熱保温型多層フィルムにより製造されたフェイスマスク、立体フェイスマスク及びアイシートに関する。  
【背景技術】
【０００２】
従来技術において、酸化発熱技術により製造された、カイロなどに使用された自己発熱型貼着シートは、日常生活での保温用具、寒さと湿気による四肢関節と筋肉の痛みの治療具などとして広く利用されている。このような貼着シートは、通常、袋体、発熱材料、接着層、接着層の外面に貼着された剥離可能な被覆層により構成されている。使用時に、被覆層を剥がして接着層を衣類に貼着し、袋体の気体透過層が皮膚に接しており、発熱材料が空気中の水分及び酸素と反応して熱を生じさせ、これにより保温効果を果たす。しかしながら、従来の自己発熱型貼着シートにおいては、１）初期温度が高すぎ、又は熱散逸が早すぎるため、低温やけどを引き起こしたり、貼着部位で組織の熱的損傷が生じることがよくあり、また、保温対象部位の温度が持続的に低いため、発熱が不安定になり、２）発熱が均一でないため、局所的に温度が高すぎる。且つ、スキンケア製品、外用薬又はサプリメントにおいて通常、水分や油が含まれており、発熱シートが皮膚と直接接触すると、これらの水分や油が皮膚の排出した汗とともに皮膚に接した気体透過層に浸入して、化学的発熱を不安定にさせ、最高発熱温度を制御しにくくなり、また、発熱材料の化学的生成物と外用薬又はサプリメント中の水分や油、又は皮膚の排出した汗とが相互汚染し、皮膚感染を引き起こす恐れがあるため、このような自己発熱型貼着シートはスキンケア製品、外用薬又はサプリメントとともに利用できない、といった欠点が避けられない。  
【０００３】
フェイスマスクはスキンケア成分を載せたものとして、面部に１５−３０分間貼着し、スキンケア成分が皮膚により徐々に吸収されると、フェイスマスクを剥がすように使用する。フェイスマスク役割は、メイク落としと洗顔と相まって、面部の洗浄を徹底したうえで、補水や保湿、美白、老化防止などのケア機能を実現することにある。  
【０００４】
フェイスマスクというと、伸ばして面部に被覆させる一枚のシート状のものが一般的である。その主な役割は、面部を被覆している間、外部の空気と汚染から一時隔離し、皮膚の温度を高めて毛穴を拡大させ、汗腺の分泌と新陳代謝を加速させ、皮膚の酸素含有量を増やすことにより、皮膚による表皮細胞の代謝生成物及び蓄積した油脂類物質の排出を促進させ、フェイスマスク中の水分を表皮の角質層に浸入させ、皮膚を柔らかくして、輝きと弾力を与えることである。このようなフェイスマスクは効能が単純で、面部への洗浄効果もスキンケア成分に対する吸収効果も限られている。  
【０００５】
後ほど開発された立体フェイスマスクは、二枚のシートが面部の中心線でつながって、面部の立体的輪郭に合わせる形状になるものであり、このような立体フェイスマスクは従来の平面フェイスマスクと比べ、面部への貼着性能が向上するため、面部によりよく密着し、脱落しにくくなるが、その効能が依然として単純で、面部への洗浄効果及びスキンケア成分に対する吸収効果の改善が顕著でない。  
【０００６】
フェイスマスク中の栄養成分を浸透させて吸収するため、従来、フェイスマスクを温水にしばらく浸しておき、又はフェイスマスクを蒸気にかけておくことでその温度を上昇させ、これにより面部に付与すると、毛穴をより効果的に拡大させ、汚れの排出や美容効果を向上させることができる。  
【０００７】
公開番号ＣＮ  １０１５４７６６７Ａの中国発明特許には、自己発熱型フェイスマスクが開示される。該フェイスマスクは、主にその伝熱シートに含まれた放熱成分により発熱し、伝熱シートの気体透過性ポリマーフィルムの透過性を制御することでその発熱温度と発熱時間を調節することにより、伝熱シートに入って発熱成分と接触した酸素量を制御し、発熱成分の発熱速度を決めるキャリアとして機能する。しかしながら、このような自己発熱型フェイスマスクは、熱散逸の問題や、発熱が不均一であるなど上記種々欠点を解消できておらず、特に、面部にスキンケア製品、又はサプリメントを使用する場合、スキンケア製品、又はサプリメント中の水分や油、又は皮膚の排出した汗が伝熱シートに浸入し、化学的発熱を不安定にさせるという欠点を解消していない。且つ、発熱材料の化学的生成物と、水分や油を含んだ外用製品、又は皮膚の排出した汗とが相互汚染し、やけどや皮膚感染を引き起こす恐れがある。また、該特許文献には、フェイスマスクの形状を利用して面部への洗浄効果及びケア効果を均一にする、より効果的な技術的解決手段が提案されていない。  
【０００８】
アイシートは、目の位置に貼着して使用する美容用品で、目へのケアに効果的な製品である。目への補水、疲れの解消、むくみやクマの迅速緩和のために利用されている。また、加齢による目元のシワに対し一定の解消効果を表している。  
【０００９】
電子製品が日常生活の中でますます普及しており、その結果、人々は電子ディスプレイを長時間見つめなければならず、それに伴う目の乾きや痛みは人々を悩ませている。睡眠不足や不規則な睡眠が加わると、目への悪影響がよりいっそう強まる。これにより、目のケアが重要になっている。  
【００１０】
従来、アイシートとして、ヘチマ、蜂蜜と卵黄の混合物、シロキクラゲなど、ケアと皮膚洗浄効果のある植物などを泥状に砕き、又は汁に煮たものを目の周りに付与されるものがある。市販のアイシート製品として、シートにペンタペプチド、ヒアルロン酸ナトリウム、ビタミンＥ、ビタミンＢ３、鉱物質、又は天然成分などのエッセンスをつけて美容及びケア効果を果たすものが一般的である。しかしながら、このようなアイシート製品において、エッセンスの自発浸透のみにより吸収されるため、その効果も制限されている。  
【００１１】
また、目の位置への温パックとして、温水にしばらく浸しておき、又はアイシートを蒸気にかけるなどして、アイシートを暖めて付与することで、目の周りの筋肉を緩め、血管を拡大させ、血行促進の効果を果たすことが挙げられる。アイシートを暖めて目の位置に貼着すると、エッセンスなどの吸収に有利であることは無論だが、従来の方式では、効果が制限されている。また、従来技術において、目の位置が原因で、上記自己発熱型貼着シートなどの目への適用が実現していない。  
【発明の概要】
【発明が解決しようとする課題】
【００１２】
本発明は、発熱時間の引き延ばし、最高発熱温度の低減に効果的で、熱が均一に分布し、且つスキンケア製品、外用薬又はサプリメントなどとともに使用できる自己発熱保温型フィルムを提供することを目的とする。  
【課題を解決するための手段】
【００１３】
本発明の自己発熱保温型フィルムは、少なくとも３層の構造を含み、前記３層の構造は、外側から内側へと順に、気体透過性材料からなる外層と、空気との接触により発熱する発熱組成物が充填され、且つ少なくとも前記外層と接触した上封止面が気体透過性材料からなる発熱層と、防水保温機能を有する材料からなる保温層と、を含むことを特徴とする。従来技術と比べ、本発明は、防水保温機能を有する材料からなる発熱層が増設される。使用時に、保温層は、発熱層からの放熱が皮膚に均一且つ安定的に伝達され、且つ皮膚に伝達された熱が直ちに散逸することが回避されることにより、初期温度が高すぎるため低温やけどを引き起こす恐れを解消し、且つ皮膚の温度を適切な範囲に効果的且つ安定的に維持することができる。また、該保温層は、外用のスキンケア製品、外用薬又はサプリメント中の水分や油、又は皮膚の排出した汗が気体透過層に浸入することを防止することにより、最高発熱温度を制御しにくいという問題を解消することができるとともに、発熱材料の化学的生成物と、外用薬又はサプリメント中の水分や油、又は皮膚の排出した汗とが相互汚染し、皮膚感染を引き起こすなどの問題が回避されることができる。本発明の自己発熱保温型フィルムが上記３層構造に限定されるものではなく、実際に使用するとき、該フィルムは保護層、接着層などを更に含むこともできる。  
【００１４】
本発明の更なる改良形態として、前記保温層はＰＥＴフィルムと金属材料からなる金属化ＰＥＴフィルム（ｍｅｔａｌｌｉｚｅｄ  ｐｏｌｙｅｔｈｙｌｅｎｅ  ｔｅｒｅｐｈｔｈａｌａｔｅ（ＭＰＥＴ））である。一実施例において、保温層は物理気相成長プロセスによりＰＥＴフィルムを金属化することで形成される。真空条件下で、加熱などの物理的方法により、金属表面を気化させ、気化した金属原子を金属蒸気源付近の冷ＰＥＴフィルムに凝集又は沈積させるものである。該金属化ＰＥＴフィルムとして、金色又は銀色のものが一般的で、他の色とすることもできる。一実施例において、金属化ＰＥＴフィルムに使用する金属はアルミニウムであるが、ニッケル又はクロムなど他の金属や、金属組成物であってもよい。金属化ＰＥＴフィルムが金属箔よりはるかに薄く、その厚さは０．５μm以下である。金属化ＰＥＴフィルムは可撓性、防水効果に優れ、且つ経時的色褪せ又は変色が生じない。金色又は銀色の反射型金属被覆フィルムは、熱反射性能に優れ、熱放射を防止でき、保温層と皮膚との間の熱を９０％以上保持することができ、金属の導入は、発熱層中の熱を皮膚に均一、且つ迅速に伝達して、体温を効果的に調節することに役立つ。且つ、金色又は銀色の金属被覆フィルムは製品に美感を与え、使い心地向上の効果がある。ポリエチレンテレフタラート（ＰＥＴ）フィルムの他に、配向ポリプロピレン（ＯＰＰ）フィルム、ナイロン、ポリエチレン及び無延伸ポリプロピレンも本発明における金属被覆プロセスに使用することができる。  
【００１５】
本発明の更なる改良形態として、発熱層に更に格子が設けられ、発熱組成物は各格子内に均一に充填される。実際に使用するとき、発熱組成物は通常、粉末状又は粒子状とし、輸送中、又は皮膚に貼着するとき、これらの粒子又は粉末は重力の作用により、発熱層の一部に集中し、残りの部分に発熱組成物がなくなってしまう。例えば、該フィルムを面部に貼着するとき、立った状態では、粒子状又は粉末状の発熱組成物は発熱層の下部に落ちて集中し、これにより下部の熱が多すぎ、上部の熱が足りないという問題が生じる。格子を設置することにより、発熱組成物が各格子内に均一に充填され、使用中に、発熱層の熱が均一に分布するよう保証することができるとともに、局所的に温度が高すぎて低温やけどを引き起こす恐れを解消することができる。格子の具体的な数、又は形状は充填される発熱組成物、所定の発熱保温面積などの要素により決めることができる。例えば、格子の形状は、楕円形、円形、方形、縁取り、五角形又は他の形状であってもよく、格子の数は、２つ又は２つ以上であってもよい。  
【００１６】
本発明の更なる改良形態として、格子は、発熱層において外層と接触する上封止面と、保温層と接触する下封止面とが接着スリットを介して熱接着されてなる。格子は発熱層の上下封止面材料と一括成型される。生産時に、発熱層の接着金型に格子状のパターンが設けられ、金型を加熱することにより、金型の突起部で封止面材料を互いに接着させて成形する。無論、本分野の他の周知技術により格子を製造することもできる。  
【００１７】
本発明の改良形態として、本発明の自己発熱保温型フィルムの外層は、天然繊維もしくは合成繊維による不織布、又は紡績布である。不織布は通常、ポリエステルでメルトブロー法により製造する。低コストで、材質が柔らかく、気体透過性に優れ、且つ不織布は発熱層における上封止面の気体透過フィルムの材質と類似するため、互いに結合しやすい。  
【００１８】
本発明の一実施例において、自己発熱保温型フィルムは使用前に密封包装されている。発熱層における発熱組成物が使用前に空気中の酸素と水分によって酸化されることを防止すべく、本発明の密封包装は、プラスチックフィルムなど、気体がほぼ透過できない任意の材料により構成することができる。  
【００１９】
発熱層における発熱組成物は、酸化可能な金属、活性炭、無機金属塩、水、高分子保湿剤、吸水剤を含む。自己発熱の基本原理は、発熱層における酸化可能な金属が空気中の水分及び酸素と反応して発熱して皮膚を暖めることであり、化学エネルギーを利用するものである。発熱組成物中の他の成分は酸化反応を促進するためのものである。  
【００２０】
本発明の自己発熱保温型フィルムは、人間工学的形状に加工され、膝、背部、手首など暖めたい体の部位に付与可能である。本発明においてフィルムの形状について限定を加えず、それと接触した体の部位に合わせるものであればよい。体の部位に固定するために、従来の化学的方法（例えば、接着により衣類に貼り付ける）の他に、物理的方式によりフィルムを体の部位に固定することもできる。例えば、結い紐、面ファスナー、又はボタンなどの方式が挙げられる。  
【００２１】
本発明の更なる改良形態として、本発明の自己発熱保温型フィルムの保温層における皮膚と接触する表面上に、前記フィルムを使用者の体の部位に固定するためのハイドロゲル層が更に設けられる。ハイドロゲル（Ｈｙｄｒｏｇｅｌ）は接着剤として、フィルムを体の部位に固定することができる。  
【００２２】
ハイドロゲルは水を分散媒とし、ゲルを皮膚に貼り付けると、体温の影響によりゲル内部の物理的構造が固体から液体に変わり、且つ皮膚内に浸入する。これにより、本発明の更なる改良形態として、ハイドロゲル基質にコラーゲン、ヒアルロン酸、アルブチン、ニコチンアミド、精油、又は他のサプリメント、外用薬の活性成分などの機能性成分を添加することができる。本発明の自己発熱保温型フィルムは防水保温機能のある保温層を有するため、ハイドロゲル中の水分が発熱層に浸入できず、これにより発熱層の最高発熱温度に影響することはない。保温層の設置により、ハイドロゲル中の熱を保持し、迅速に散逸させることを防止することができる。  
【００２３】
本発明の一実施例において、自己発熱保温型フィルムは面部に貼着するフェイスマスクに加工され、面部につけられるように使用する。上記したように、スキンケア製品又は従来の栄養パックとともに使用する場合、スキンケア製品又は従来のフェイスマスクにおいて通常、水分や油が含まれており、これらの水分や油、又は皮膚の排出した汗は発熱型貼着シートの皮膚に接した気体透過層に浸入して、化学的発熱を不安定にさせるため、最高発熱温度を制御しにくくなる。また、発熱材料の化学的生成物と、水分や油を含むスキンケア成分、又は皮膚の排出した汗とが相互汚染し、やけどや皮膚感染を引き起こすことがある。本発明の自己発熱保温型フェイスマスクは、防水保温機能のある保温層を有することにより、上記問題を回避することができるとともに、従来技術によるフェイスマスクの効能が単純で、自己発熱とスキンケア機能を同時に備えていないという問題点を解消することができる。  
【００２４】
上記実施例の改良形態として、前記フェイスマスクの発熱層は、発熱温度が３８−５５℃、発熱時間が１０−２５分間である。該温度と時間範囲で面部の皮膚に使用すると、使い心地がよく、血行を速め、毛穴を拡大させ、汗及び油脂などの汚れを排出させる。温度が低すぎ、又は時間が短すぎると、毛穴拡大の効果を得られない。温度が高すぎ、又は時間が長すぎると、面部の皮膚の表皮に異なる程度のやけどを引き起こしたり、表皮の毛細管を迅速に拡大させたり、長時間にわたり拡大状態にあったりして、皮膚の脱水、毛穴開きなどが生じかねない。発熱温度と発熱時間は発熱組成物の充填率、発熱組成物の各成分の割合を制御し、気体透過性外層と発熱層の上封止面での気体透過孔の大きさ、数などを適宜設定することにより調節することができる。一般的に、発熱層は使用者の皮膚を適切な温度に加熱して、使用者に不具合をきたすことなく有効な熱供給を行うことができる。例えば、本発明のフィルムは使用者の皮膚の温度を約３８−５５℃に上げることができ、用途によって、その加熱時間が１５分間を超え、３０分間を超え、ひいては１時間を越えることもある。  
【００２５】
上記実施例の好適な形態として、前記発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部とを含む。普通の不績布、気体透過性フィルムを使用する場合、該構成では、通常の環境条件において、３８−５５℃の発熱温度、１０−２５分間の発熱時間を保証することができる。  
【００２６】
上記実施例の更なる好適な形態として、前記発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部と、珪藻土１−５重量部とを含む。珪藻土の細孔は空気中の水分を自発的に吸収して貯蔵できるため、過剰な蒸気が発熱層に入って温度が高くなりすぎることが回避される。環境中の湿度が下がると、珪藻土は細孔内に貯蔵した水分を放出することで、発熱層に入った蒸気が不足なため発熱シートの温度が低くなりすぎることを回避する。珪藻土による空気中の水分の貯蔵及び放出により、本発明のフィルムの加熱温度をより安定的にする。  
【００２７】
上記実施例の更なる好適な形態として、前記フェイスマスクの厚さを２−８ｍｍとする。該厚さ範囲により、前記フィルムの３層構造及び上記発熱温度と発熱時間を実現できるだけでなく、面部によく貼着することができる。フェイスマスクのサイズは普通のフェイスマスクのサイズでよい。  
【００２８】
本発明は、自己発熱保温型フィルムの使用方法を更に提供する。実際に使用するとき、本発明の自己発熱保温型フィルムは、関節リウマチや、寒と湿による四肢関節と筋肉の痛みなどにおける保温のために使用するほか、皮膚用外用薬又は外用サプリメントの吸収促進のためにも使用する。一実施例において、前記フィルムを貼着する前に、体の部位にスキンケア製品、外用薬、精油又は外用サプリメントを塗布しておき、次いで固定手段により前記フィルムを体の部位に固定する。もう一つの実施例において、スキンケア製品、外用薬、精油もしくは外用サプリメントをそれ自体の粘性、又は有効成分に添加された医療用接着剤もしくは粘着剤によって前記保温層の皮膚と接触する表面に塗布しておき、使用時に皮膚に直接貼着する。また、本発明の発熱層における発熱組成物に精油又は芳香性生薬などを添加することにより、発熱と保温中に、ケア効果をもたらしたり、気分を高めることができる。  
【００２９】
本発明は自己発熱保温型フェイスマスクの使用方法を更に提供する。フェイスマスクを付与する前に、面部に従来の栄養パック又はスキンケア製品を塗布しておく。本発明の自己発熱保温型フェイスマスクは皮膚の毛穴を拡大させ、汗と油脂などの汚れの排出を促進することができるため、皮膚によるスキンケア製品の有効成分に対する吸収を向上させるとともに、スキンケア製品の使用量を減らしながらスキンケア効果を高めることができる。
【００３０】
本発明の自己発熱保温型フィルムは、構造がシンプルで、その製造は自然資源によって制限されず、外部からのエネルギー供給を不要とし、安全に、安定的に、且つ均一に発熱し、効果的に発熱時間を引き延ばし、最高発熱温度を下げることができる。特に、本発明の自己発熱保温型フィルムをフェイスマスクにして面部の皮膚に使用するとき、発熱層と保温層によってなされた持続的な温熱状態により、皮膚に快適感をもたらし、血行を改善し、皮膚の毛穴を拡大させ、汗及び油脂などの汚れを排出させる。従来の栄養パック及びスキンケア製品とともに使用すると、皮膚による従来のフェイスマスク及びスキンケア製品の有効成分に対する吸収を向上させ、これによりスキンケア製品の使用量を減らしながらスキンケア効果を高めることができ、便利であり、資源を節約し、環境に優しい。従来技術によるフェイスマスクは効能が単純で、自己発熱機能を備えず、その有効成分は皮膚によって吸収されにくく（特に、環境温度が低くて面部の毛穴が縮小した場合）、冬のような乾燥の季節や、寒冷な地区で従来のシート状又は泥状のフェイスマスクを使用するときに、冷たくて不快感を覚えるため、使用を中止してしまい、その結果、皮膚への補水が必要なのに、しかるべき機能を果たすことができない。本発明のフェイスマスクは従来技術によるフェイスマスクなどのスキンケア製品に改良を加え、その欠点を解消する。  
【００３１】
且つ、本発明の自己発熱保温型フィルムは低コストで、使い捨てとし、接触状態で面部、又は皮膚が敏感な他の部位に安全に、衛生的に使用することができ、繰り返し使用する皮膚接触型物理的発熱装置に求められる消毒操作と、基準を満たさない消毒操作による衛生面のリスクが回避される。使用後に、有毒性物質による汚染の恐れがなく、発熱材料を回収して、土壌の質を改善する材料として再利用することができる。  
【００３２】
更に、本発明は種々の効能を有し、発熱時間を効果的に引き延ばし、最高発熱温度を下げ、熱が均一分布し、且つスキンケア効果を大幅に向上させ、面部皮膚の感染を回避できる自己発熱保温型立体フェイスマスクを提供する。その具体的な技術的解決手段は以下のとおりである：  
【００３３】
自己発熱保温型立体フェイスマスクであって、前記立体フェイスマスクは少なくとも２枚のシートが互いにつながって、面部の輪郭に合わせる形状をなし、前記立体フェイスマスクの面部に対応するシート部は少なくとも３層の構造を含み、前記３層の構造は外側から内側へと順に、気体透過性材料からなる外層と、空気との接触により発熱する発熱組成物が充填され、且つ少なくとも前記外層と接触した上封止面が気体透過性材料からなる発熱層と、防水保温機能を有する材料からなる保温層とを含む。本発明の自己発熱保温型立体フェイスマスクは、上記３層構造に限定せず、実際に使用するとき、該フィルムは保護層、接着層などを更に含むことができる。また、本発明は３層構造を立体フェイスマスクに用いることで、立体フェイスマスクが面部によりよく貼着でき、これにより、面部への洗浄効果及びスキンケア効果を均一にすることに有利となる。  
【００３４】
本発明の更なる改良形態として、前記立体フェイスマスクの保温層がＰＥＴフィルムと金色又は銀色の金属材料からなる金属化ＰＥＴフィルムである。  
【００３５】
本発明の更なる改良形態として、前記立体フェイスマスクの発熱層には更に格子が設けられ、発熱組成物が各格子内に均一に充填される。  
【００３６】
本発明の更なる改良形態として、前記立体フェイスマスクの格子は発熱層において外層と接触する上封止面と、保温層と接触する下封止面とが接着スリットを介して熱接着されてなる。  
【００３７】
本発明の更なる改良形態として、前記立体フェイスマスクの外層は天然繊維もしくは合成繊維による不織布、又は紡績布である。  
【００３８】
本発明の一実施例において、前記立体フェイスマスクは使用前に密封包装されている。  
【００３９】
前記立体フェイスマスクの発熱層における発熱組成物は、酸化可能な金属、活性炭、無機金属塩、水、高分子保湿剤、吸水剤を含む。  
【００４０】
本発明の改良形態として、前記立体フェイスマスクの発熱層は、発熱温度が３８−５５℃、発熱時間が１０−２５分間である。  
【００４１】
本発明の好適な形態として、前記立体フェイスマスクの発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部と、を含む。普通の不績布、気体透過性フィルムを使用する場合、該構成のものは通常の環境条件において、３８−５５℃の発熱温度、１０−２５分間の発熱時間を保証することができる。  
【００４２】
本発明の更なる好適な形態として、前記立体フェイスマスクの発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部と、珪藻土１−５重量部とを含む。  
【００４３】
本発明の更なる好適な形態として、前記立体フェイスマスクの厚さが２−８ｍｍである。
【００４４】
本発明の更なる改良形態として、前記立体フェイスマスクの保温層における皮膚と接触する表面上には、前記フィルムを使用者の体の部位に固定するためのハイドロゲル層が更に設けられる。  
【００４５】
本発明の一実施例として、前記立体フェイスマスクは、面部の左側と右側にそれぞれ対応する二枚のシートからなり、前記左シートと右シートの先端部にそれぞれ接着材料が設けられ、且つ面部の中心線で互いに接着して面部の立体的輪郭に合わせる形状になる。一般的に、左シートと右シートは面部の中心線に関して対称であり、左シートと右シートを互いに接着させて面部の立体的輪郭に合わせる形状になることにより、面部によりよく貼着でき、従来の一枚のシート状の平面フェイスマスクを面部に貼着するとき、シワが生じやすくて面部への均一な密着が困難であり、洗浄と美容効果を損なうという欠点を解消することができる。  
【００４６】
本発明の上記技術的解決手段の改良形態として、前記立体フェイスマスクの左シートと右シートの先端部における人体の外鼻に対応する位置に、上から下へと外向きに突出した突出部が設けられ、前記突出部の下方に人体の口部に対応する開口部が設けられ、開口部の下部が一定のラジアンで円弧状になるように下向きに底端まで延伸し、前記左シートと右シートのそれぞれの先端部において、人体の口部に対応する開口部を除く領域に接着材料が設けられ、且つ互いに接着される。左シートの先端部と右シートの先端部はいずれも外鼻に対応する位置に上から下へと突起した突起部があるため、左シートと右シートが接着されると、外鼻部において自然に上から下へと突起して、外鼻によく貼着する。人体の口部に対応する開口部の下方に、先端部が一定のラジアンで円弧をなして下向きに延伸し底端に至り、これにより、左シートと右シートが接着されると、その下部に人体の顎部と自然に合わせて貼着する曲面が形成され、これにより面部によく貼着することができる。  
【００４７】
本発明の上記技術的解決手段の改良形態として、本発明の立体フェイスマスクは口部に対応する開口部を除き、残りの部位が全部密封される密封型とすることができ、好ましくは、前記左シートと右シートの先端部における前記突起部の上方に位置して面部の眉間に対応する位置に、内向きに少し窪んだ凹弧が設けられ、無論、凹弧には接着材料が設けられる。前記突起部の上方の、眉間に対応する位置に内向きに少し窪んだ凹弧があるため、左シートと右シートが接着されると、該凹弧部、すなわち眉間と外鼻の鼻根に対応する位置において、内向きに少し窪んだ凹みが形成され、これにより、面部の眉間と鼻根の窪んだ位置によりよく密着することができる。本密封型の立体フェイスマスクは、口と鼻を除く面部の大部分の領域に対して、全面的に洗浄とケアを行うことができる。且つ、フェイスマスクの３層構造における発熱層と保温層により温パックして、目へのケアを行い、眼球乾燥症を予防することができる。本発明の上記技術的解決手段のもう一つの改良形態として、本発明の立体フェイスマスクは、口部と目に対応する開口部を有する目露出型とすることができ、フェイスマスクをつけた後、目が露出しており、この場合、前記左シートと右シートの先端部における前記突起部の上方に位置して目と眉間に対応する位置に、更に、内向きに窪んだ凹部が設けられ、この凹部は略半楕円状、又は略半円状とし、左シートと右シートを接着させた後、目が適宜露出しており、フェイスマスクに被覆されていない部分を多く出さないものであればよい。この場合、前記左シートと右シートのそれぞれの先端部において、人体の口部に対応する開口部に接着材料を設けず、また、目に対応する凹部に接着材料を設けない。すなわち、先端部において、人体の口部に対応する開口部、目と眉間に対応する凹部を除く領域に接着材料が設けられ、且つ互いに接着される。  
【００４８】
更に、前記フェイスマスクの左シートと右シートの後端に、フェイスマスクを人体の頭部に固定するための固定テープを有し、前記固定テープの尾端に面ファスナーが設けられる。これにより本発明の立体フェイスマスクを面部に貼着した後、固定テープで頭部を一周して固定し、更に面ファスナーで定着することができる。具体的な実施形態において、本発明のフェイスマスクは、固定テープと面ファスナーによる頭部への固定方式に限定せず、結い紐、ボタンなどの方式であってもよい。  
【００４９】
本発明は自己発熱保温型立体フェイスマスクの使用方法を更に提供し、前記フェイスマスクを付与する前に、面部に従来の栄養パックもしくはスキンケア製品を塗布しておき、又はスキンケア製品を前記保温層の皮膚と接触する表面に塗布しておく。フェイスマスクの左シートと右シートを一体的に接着させて、接着済みの立体フェイスマスクを面部に貼着する。本発明の自己発熱保温型立体フェイスマスクは、皮膚の毛穴を拡大させ、汗と油脂などの汚れの排出を促進することができるため、皮膚によるスキンケア製品の有効成分に対する吸収を向上させるとともに、スキンケア製品の使用量を減らしながらスキンケア効果を高めることができる。且つ、保温層の設置により、発熱層からの放熱が皮膚に均一且つ安定的に伝達され、これにより、皮膚に伝達された熱が直ちに散逸することが回避され、初期温度が高すぎることで低温やけどを引き起こす恐れを解消し、且つ皮膚の温度を適切な範囲に効果的且つ安定的に維持することができる。また、該保温層の設置により、外用のスキンケア製品、外用薬又はサプリメント中の水分や油、又は皮膚の排出した汗が気体透過層に浸入することを防止し、これにより最高発熱温度を制御しにくいという問題を解消することができるとともに、外用製品使用時の相互汚染、皮膚感染などの問題が回避することもできる。  
【００５０】
更に、本発明は種々の効能を有し、発熱時間を効果的に引き延ばし、最高発熱温度を下げ、熱が均一分布し、且つスキンケア効果を大幅に向上させ、面部皮膚の感染を回避できる自己発熱保温型フェイスマスクを提供する。その具体的な技術的解決手段は以下のとおりである：  
【００５１】
自己発熱保温型フェイスマスクであって、前記フェイスマスクの面部に対応する位置に少なくとも３層の構造を含み、前記３層の構造は外側から内側へと順に、気体透過性材料からなる外層と、空気との接触により発熱する発熱組成物が充填され、且つ少なくとも前記外層と接触した上封止面が気体透過性材料からなる発熱層と、防水保温機能を有する材料からなる保温層とを含む。本発明の自己発熱保温型フェイスマスクは、上記３層構造に限定せず、実際に使用するとき、該フィルムは保護層、接着層などを更に含んでもよい。  
【００５２】
本発明の更なる改良形態として、前記フェイスマスクの保温層がＰＥＴフィルムと金色又は銀色の金属材料からなる金属化ＰＥＴフィルムである。  
【００５３】
本発明の更なる改良形態として、前記フェイスマスクの発熱層には更に格子が設けられ、発熱組成物が各格子内に均一に充填される。  
【００５４】
本発明の更なる改良形態として、前記フェイスマスクの格子は発熱層において外層と接触する上封止面と、保温層と接触する下封止面とが接着スリットを介して熱接着されてなる。  
【００５５】
本発明の更なる改良形態として、前記フェイスマスクの外層は天然繊維もしくは合成繊維による不織布、又は紡績布である。  
【００５６】
本発明の一実施例において、前記フェイスマスクは使用前に密封包装されている。  
【００５７】
前記フェイスマスクの発熱層における発熱組成物は、酸化可能な金属、活性炭、無機金属塩、水、高分子保湿剤、吸水剤を含む。  
【００５８】
本発明の改良形態として、前記フェイスマスクの発熱層は、発熱温度が３８−５５℃、発熱時間が１０−２５分間である。  
【００５９】
本発明の好適な形態として、前記フェイスマスクの発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部とを含む。普通の不績布、気体透過性フィルムを使用する場合、該構成のものは通常の環境条件において、３８−５５℃の発熱温度、１０−２５分間の発熱時間を保証することができる。  
【００６０】
本発明の更なる好適な形態として、前記フェイスマスクの発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部と、珪藻土１−５重量部とを含む。  
【００６１】
本発明の更なる好適な形態として、前記フェイスマスクの厚さが２−８ｍｍである。  
【００６２】
本発明の更なる改良形態として、前記フェイスマスクの保温層における皮膚と接触する表面上には、前記フィルムを使用者の面部に固定するためのハイドロゲル層が更に設けられる。  
【００６３】
本発明の一実施例として、前記フェイスマスクは、人体の口部に対応する位置と、鼻孔に対応する位置に孔が設けられる。これらの孔は、フェイスマスクを貼着した後にも正常に呼吸できるよう確保するために設けられるものであり、該実施例において、目に対応する位置に孔が設けられず、これにより、口と鼻を除く面部の大部分の領域に対して、全面的に洗浄とケアを行うことができる。且つ、フェイスマスクの３層構造における発熱層と保温層により温パックして、目へのケアを行い、眼球乾燥症を予防することができる。  
【００６４】
本発明のもう一つの実施例として、前記フェイスマスクは、人体の口部と鼻孔に対応する位置に孔が設けられるほか、目に対応する位置にも孔が設けられる。これにより、面部にフェイスマスクを貼着した後、正常に歩いたり、目を動かしたりすることができる。  
【００６５】
更に、前記フェイスマスクの両側に、フェイスマスクを人体の頭部に固定するための固定テープを有し、前記固定テープの尾端に面ファスナーが設けられる。これによりフェイスマスクを面部に貼着した後、固定テープで頭部を一周して固定し、更に面ファスナーで定着することができる。具体的な実施形態において、本発明のフェイスマスクは、固定テープと面ファスナーによる頭部への固定方式に限定せず、結い紐、ボタンなどの方式であってもよい。  
【００６６】
本発明は自己発熱保温型フェイスマスクの使用方法を更に提供し、前記フェイスマスクを付与する前に、面部に従来の栄養パックもしくはスキンケア製品を塗布しておき、又はスキンケア製品を前記保温層の皮膚と接触する表面に塗布しておき、次いでフェイスマスクを面部に直接貼着する。本発明の自己発熱保温型フェイスマスクは、皮膚の毛穴を拡大させ、汗と油脂などの汚れの排出を促進することができるため、皮膚によるスキンケア製品の有効成分に対する吸収を向上させるとともに、スキンケア製品の使用量を減らしながらスキンケア効果を高めることができる。且つ、保温層の設置により、発熱層からの放熱が皮膚に均一且つ安定的に伝達され、これにより、皮膚に伝達された熱が直ちに散逸することが回避され、初期温度が高すぎることで低温やけどを引き起こす恐れを解消し、且つ皮膚の温度を適切な範囲に効果的且つ安定的に維持することができる。また、該保温層の設置により、外用のスキンケア製品、外用薬又はサプリメント中の水分や油、又は皮膚の排出した汗が気体透過層に浸入することを防止し、これにより最高発熱温度を制御しにくいという問題を解消することができるとともに、外用製品使用時の相互汚染、皮膚感染などの問題を回避することができる。  
【００６７】
更に、本発明は種々の効能を有し、発熱時間を効果的に引き延ばし、最高発熱温度を下げ、熱が均一分布し、且つエッセンスに対する吸収効果を大幅に向上させ、目の位置の皮膚感染を回避できる自己発熱保温型アイシートを提供する。その具体的な技術的解決手段は以下のとおりである：  
【００６８】
自己発熱保温型アイシートであって、前記アイシートの面部に対応する位置に少なくとも３層の構造を有し、前記３層の構造は、外側から内側へと順に、気体透過性材料からなる外層と、空気との接触により発熱する発熱組成物が充填され、且つ少なくとも前記外層と接触した上封止面が気体透過性材料からなる発熱層と、防水保温機能を有する材料からなる保温層とを含む。本発明の自己発熱保温型アイシートは、上記３層構造に限定せず、実際に使用するとき、該フィルムは保護層、接着層などを更に含んでもよい。  
【００６９】
本発明の更なる改良形態として、前記アイシートの保温層がＰＥＴフィルムと金色又は銀色の金属材料からなる金属化ＰＥＴフィルムである。  
【００７０】
本発明の更なる改良形態として、前記アイシートの発熱層には更に格子が設けられ、発熱組成物が各格子内に均一に充填される。  
【００７１】
本発明の更なる改良形態として、前記アイシートの格子は発熱層において外層と接触する上封止面と、保温層と接触する下封止面とが接着スリットを介して熱接着されてなる。  
【００７２】
本発明の更なる改良形態として、前記アイシートの外層は天然繊維もしくは合成繊維による不織布、又は紡績布である。  
【００７３】
本発明の一実施例において、前記アイシートは使用前に密封包装されている。  
【００７４】
前記アイシートの発熱層における発熱組成物は、酸化可能な金属、活性炭、無機金属塩、水、高分子保湿剤、吸水剤を含む。  
【００７５】
本発明の改良形態として、前記アイシートの発熱層は、発熱温度が３８−５５℃、発熱時間が１０−２５分間である。  
【００７６】
本発明の好適な形態として、前記アイシートの発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部と、を含む。普通の不績布、気体透過性フィルムを使用する場合、該構成のものは通常の環境条件において、３８−５５℃の発熱温度、１０−２５分間の発熱時間を保証することができる。  
【００７７】
本発明の更なる好適な形態として、前記アイシートの発熱層における発熱組成物は、医療用鉄粉３０−５０重量部と、活性炭１０−１５重量部と、塩１−５重量部と、ヒル石３−１３重量部と、吸水性樹脂１−５重量部と、水１−５重量部と、珪藻土１−５重量部とを含む。  
【００７８】
本発明の更なる好適な形態として、前記アイシートの厚さが２−８ｍｍである。  
【００７９】
本発明の更なる改良形態として、前記アイシートの保温層における皮膚と接触する表面上には、前記フィルムを使用者の目の位置の皮膚に固定するためのハイドロゲル層が更に設けられる。  
【００８０】
本発明の一実施例として、前記アイシートは耳掛け部を更に有し、前記耳掛け部に耳に掛けるための孔が設けられる。耳掛け部の設置により、使用時にアイシートを目の位置によく貼着することができ、移動したり脱落することが回避される。  
【００８１】
上記技術的解決手段の改良形態として、前記アイシートの中心線において、その下半部にスリットが設けられる。アイシートの下半部にわたり縦設されたスリットは、アイシートを目の位置に貼着した後に、鼻筋において、アイシートの左半部と右半部が自然に外向きに開き、これによりアイシートは人体の生理的形状に合わせ、また、アイシートを貼着した後、左半部と右半部は中央の鼻筋を境に、自然にスリットの両側へ開き、これにより、面部と目の位置によりよく貼着することができる。  
【００８２】
本発明の自己発熱保温型アイシートの実施において、前記アイシートを付与する前に、目の周りの皮膚にスキンケア製品を塗布しておき、又はスキンケア製品を前記保温層の皮膚と接触する表面に塗布しておき、次いでアイシートを目の位置に直接貼着する。本発明の自己発熱保温型アイシートは、皮膚の毛穴を拡大させ、汗と油脂などの汚れの排出を促進することができるため、目の周りの皮膚によるエッセンスの有効成分に対する吸収を向上させるとともに、エッセンスの使用量を減らしながらケア効果を高めることができる。且つ、保温層の設置により、発熱層からの放熱が皮膚に均一且つ安定的に伝達され、これにより、皮膚に伝達された熱が直ちに散逸することは回避され、初期温度が高すぎることで低温やけどを引き起こす恐れを解消し、且つ皮膚の温度を適切な範囲に効果的且つ安定的に維持することができる。また、該保温層の設置により、外用のスキンケア製品、外用薬又はサプリメント中の水分や油、又は皮膚の排出した汗が気体透過層に浸入することを防止し、これにより最高発熱温度を制御しにくいという問題を解消することができるとともに、外用製品使用時の相互汚染、皮膚感染などの問題を回避することもできる。  
【図面の簡単な説明】
【００８３】
図１は、本発明の自己発熱保温型フィルムの一つの具体的な実施例の概略図である。  
【００８４】
図２は、図１に示す自己発熱保温型フィルムの使用時の状態の概略図である。  
【００８５】
図３は、本発明の自己発熱保温型フィルムのもう一つの具体的な実施例の概略図である。  
【００８６】
図４は、本発明の自己発熱保温型フィルムにより製造されたフェイスマスクの具体的な実施例の概略図である。  
【００８７】
図５は、本発明の自己発熱保温型立体フェイスマスクの実施例４の概略構造図である。  
【００８８】
図６は、図５に示す自己発熱保温型立体フェイスマスクの左シートと右シートを接着した後の構造の概略図である。  
【００８９】
図７は、図５に示す実施例において、立体シートを面部の輪郭に沿って貼着することを示す図である。  
【００９０】
図８は、図５に示す実施例の立体フェイスマスクのシートの面部に対応する領域における３層構造の断面図である。  
【００９１】
図９は、本発明の自己発熱保温型立体フェイスマスクの実施例５の概略構造図である。  
【００９２】
図１０は、図９に示す自己発熱保温型立体フェイスマスクの左シートと右シートを接着した後の構造の概略図である。  
【００９３】
図１１は、図９に示す実施例において、立体シートを面部の輪郭に沿って貼着することを示す図である。  
【００９４】
図１２は、本発明の自己発熱保温型フェイスマスクの実施例８の概略構造図である。  
【００９５】
図１３は、図１２に示す実施例において、フェイスマスクのシートの面部に対応する領域の３層構造の断面図である。  
【００９６】
図１４は、本発明の自己発熱保温型フェイスマスクの実施例９の概略構造図である。  
【００９７】
図１５は、本発明の自己発熱保温型アイシートの実施例１２の概略構造図である。  
【００９８】
図１６は、図１５に示す実施例において、アイシートの面部に対応する領域の３層構造の断面図である。  
【００９９】
図１７は、本発明の自己発熱保温型アイシートの実施例１４の概略構造図である。  
【発明を実施するための形態】
【０１００】
以下、実施例を挙げて本発明についてより詳細に説明し、ただし、下記内容は本発明に対する説明のみであり、本発明の保護範囲に限定を一切加えず、本発明の明細書及び添付図面の内容に基づいてなされた構造上の等価置換は、すべて本発明の範囲内に含まれるものとする。  
実施例１  
【０１０１】
図１に示すように、自己発熱保温型フィルムは３層の構造を含み、左から右へと順に、外層１、発熱層２及び保温層３であり、粒子状又は粉末状の発熱組成物２１は発熱層２内に充填される。図２では、図１に示す自己発熱保温型フィルムの実施例の使用中の状態が示され、保温層３は皮膚４と直接接触する。  
【０１０２】
該実施例において、自己発熱保温型フィルムの３層の構造は一体的に接着され、例えば、接着剤、又は熱接着により、一体的に皮膚に直接つけられる。実際の生産及び使用において、保温層が外層、発熱層に接着していないことも可能であり、すなわち、使用時に、まず皮膚に保温層を単独で付与しておき、次いで発熱層及び外層を付与することで、同様に発熱保温効果を得ることができる。  
【０１０３】
該実施例において、外層１は紡績布とし、発熱層２の上下封止面はいずれも気体透過性フィルムを採用する。実際に使用するとき、外層１と発熱層２の上封止面（下封止面を含む場合もある）が気体透過性材料からなることを保証するだけでよく、気体透過性材料について具体的に限定せず、空気を発熱層に効果的に導入できる発熱組成物であればよい。気体透過性材料の気体透過性は発熱組成物のタイプ、使用量、所定の発熱温度などに基づき、気体透過孔の大きさ、数などを適宜設定することで調節することができる。気体透過性材料の厚さは、本発明の効果を損なわない範囲であればよい。気体透過性及び支持機能を実現する前提下で、薄い方が好ましい。保温層３は、ＰＥＴフィルムと銀色金属のアルミニウムからなるアルミニウム化ＰＥＴフィルムとし、アルミニウムの融点が低く、真空条件下で、加熱の方式により固体状態のアルミニウムを容易に気体状態に変換することができ、ＰＥＴフィルムの耐熱性が他のポリマーフィルムより優れ、且つアルミニウムとの結合性能に優れる。ＰＥＴフィルムのアルミニウム被覆層は金属光沢を帯びており、反射率が高く、厚さ４００Åのアルミニウム被覆層の反射率は９０％に達しており、保温効果に優れ、且つ水分や気体透過抑止性能が極めて高い。  
【０１０４】
該実施例において、発熱組成物構成は、医療用鉄粉５０重量部と、活性炭１５重量部と、塩５重量部と、ヒル石３重量部と、吸水性樹脂１重量部と、水５重量部と、珪藻土１重量部とを含む。実際に使用するとき、空気中の酸素との接触により発熱する発熱組成物は酸化可能な金属、活性炭、無機金属塩、水及び高分子保湿剤などによる混合物とすることができる。  
【０１０５】
酸化可能な金属粉末として、鉄粉、アルミニウム粉末などが挙げられるが、通常、鉄粉を使用し、具体的には、還元鉄粉、水アトマイズ鉄粉、電解鉄粉などがある。鉄粉の粒径は、加熱保温効果を発揮できる範囲でよく、通常、１０−３００μｍ程度とし、好ましくは、１０−１００μｍ程度とする。鉄粉の含有量は、３０−８０ｗｔ％程度が好ましく、更に好ましくは、３０−５０ｗｔ％程度である。  
【０１０６】
活性炭の主な役割は、より均一に放熱させて表面の温度を均一にし、局所的に温度が高くなりすぎたり、低くなりすぎることを防止する。活性炭が効果的に吸水できるだけでなく、発熱組成物による放熱で生成した水蒸気を吸収することもでき、水の散逸を防止することができる。つまり、活性炭は保水性物質として機能することができる。活性炭は、鉄粉の酸化に伴い生成した臭気を吸収することもできる。上記活性炭としては、ヤシ殻、木材、木炭、石炭、骨炭などから製造した活性炭が挙げられる。活性炭の粒径は、加熱保温効果を発揮できる範囲でよく、通常、１０−３００μｍ程度とし、好ましくは、１０−１００μｍ程度とする。活性炭の含有量は、３−２５ｗｔ％程度が好ましく、更に好ましくは、１０−１５ｗｔ％程度である。  
【０１０７】
無機金属塩は、鉄粉を空気中の酸素と反応させて、鉄粉の表面を活性化することで、鉄粉の酸化反応を促進することができる。硫酸鉄(III)、硫酸カリウム、硫酸ナトリウム、硫酸マンガン、リン酸マグネシウムなどの硫酸塩、塩化銅（II）、塩化カリウム、塩化ナトリウム、塩化カルシウム、塩化マンガン、塩化マグネシウム、塩化銅（I）などの塩化物など、周知の発熱組成物に使用される金属塩とすることができる。他に、炭酸塩、酢酸塩、硝酸塩、又は他の塩を使用することもできる。これらの金属塩を単独で使用し、又は二つ以上組み合わせて使用することができる。上記金属塩の粒径は、本発明の効果を損なわない範囲でよく、通常、１００−７００μｍ程度とし、好ましくは、２００−６００μｍ程度とする。金属塩の含有量は、０．５−１０ｗｔ％程度が好ましく、更に好ましくは、１−５ｗｔ％程度である。  
【０１０８】
発熱組成物中の水は、蒸留水、水道水などを使用することができ、その含有量は、１−２０ｗｔ％程度が好ましく、更に好ましくは、１−５ｗｔ％程度である。  
【０１０９】
上記鉄粉、活性炭、金属塩及び水の他に、必要に応じて、発熱組成物に他の添加剤を含むこともできる。例えば、発熱組成物は、吸水性樹脂を含むことが可能であり、吸水性樹脂は密封低酸素状態下で、発熱層内の水分を均一に貯蔵し、密封袋を開くと、空気中の酸素と発熱層中の樹脂の放出した水分は、酸化反応を促進する。吸水性樹脂として、イソブチレン−無水マレイン酸共重合体、ポリビニルアルコール−アクリル酸共重合体、デンプン−アクリル酸塩グラフト共重合体、ポリアクリル酸塩架橋体、アクリル酸塩−アクリレート共重合体、アクリル酸塩−アクリルアミド共重合体、ポリアクリロニトリル架橋体などを含むが、これらに限定しない。これらの吸水性樹脂を単独で使用し、又は二つ以上組み合わせて使用することができる。上記吸水性樹脂の粒径は、本発明の効果を損なわない範囲でよく、通常、１００−５００μｍ程度とし、好ましくは、２００−４００μｍ程度とする。吸水性樹脂の含有量は、０．５−１０ｗｔ％程度が好ましく、更に好ましくは、１−５ｗｔ％程度である。発熱組成物にヒル石を更に含むことができ、ヒル石の主な役割は、保温、断熱機能を果たすことで、温度をより長く維持することである。ヒル石の粒径は、本発明の効果を損なわない範囲でよく、通常、３００μｍ以下とし、好ましくは、２００μｍ以下とする。ヒル石の含有量は、１−２０ｗｔ％程度が好ましく、更に好ましくは、３−１３ｗｔ％程度である。  
実施例２  
【０１１０】
図３は、本発明の自己発熱保温型フィルムのもう一つの実施例の概略図である。図１の実施例と比べ、本発明の実施例における発熱層２に格子２２が更に設けられる。粒子状又は粉末状の発熱組成物２１は、各格子２２内に閉じ込められる。格子２２を設けることにより、輸送中、又は使用時に、粒子状の発熱組成物２１は、外力により発熱層２の一部に集中して局所的に熱くなりすぎ、発熱が不均一になることが回避される。  
実施例３  
【０１１１】
図４は、図３に示す自己発熱保温型フィルムで製造したフェイスマスクの実施例の概略図である。該実施例において、フェイスマスクは３層の構造、格子２２の他に、フェイスマスク全体を固定するための構造５が更に設けられる。面部に付与されるため、該フェイスマスクは接着層を含むことができず、構造５の役割は、フェイスマスクを面部に固定することである。実際に使用するとき、構造５は、フェイスマスクの両縁から延出した結い紐、面ファスナー、又はボタンなどの形式であってもよい。  
【０１１２】
発熱組成物は、医療用鉄粉３０重量部と、活性炭１５重量部と、塩１重量部と、ヒル石１３重量部と、吸水性樹脂５重量部と、水１重量部と、珪藻土５重量部と、を含む。該実施例において、外層と保温層はいずれもフィルムとし、フェイスマスクの厚さは主に発熱層によって決められ、面部の皮膚に使用するとき、３８−５５℃の発熱温度、１０−２５分間の発熱時間を保証するために、該フィルムの厚さを２−８ｍｍとし、すなわち、発熱層内に充填された粒子状の発熱組成物の全厚さは約２−８ｍｍとし、該厚さにより、フェイスマスクを面部によく貼着することができる。  
実施例１−３の技術的効果  
【０１１３】
本発明の自己発熱保温型フィルムの美容効果及びケア効果をテストするために、５０名の被験者を募集し、被験者の面部に市販の従来のフェイスマスクを貼着し、次いで被験者の顔の左側、又は顔の右側に本発明の実施例３により製造された自己発熱保温型フィルムをつけ、手で軽く押さえ付けて面部に固定し、１５分間後に、本発明のフェイスマスクと従来のフェイスマスクを剥がし、顔の左側と右側での使用効果について被験者に聞いたところ、ほとんどの被験者は、本発明の自己発熱保温型フィルムをつけた側に快適感がより高いと回答し、含水量を測定した結果、従来のフェイスマスクを単独で使用する側と比べ、ほとんどの被験者では、本発明の自己発熱保温型フィルムをつけた側の含水量がより高く、直接観察では、本発明の自己発熱保温型フェイスマスクをつけた側がよりすべすべしており、潤いがある印象だった。  
実施例４  
【０１１４】
本実施例は、立体フェイスマスクに関する。それは、二枚のシートが互いにつながって面部の輪郭に合わせる形状をなし、従来の一枚のシート状の平面フェイスマスクと比べ、面部によりよく貼着でき、これにより、面部を均一に洗浄し、ケアすることができる。  
【０１１５】
実施例４において、図５に示すように、立体フェイスマスク１０は、面部の左側と右側それぞれに対応する左シート１１と右シート１２の二枚のシートからなり、前記左シート１１と右シート１２の先端部１１１、１２１にそれぞれ接着材料が設けられ、且つ面部の中心線で互いに接着して面部の立体的輪郭に合わせる形状になる。図６は、二枚のシートを接着させて形成した立体フェイスマスクの全体的形状を示している。  
【０１１６】
該実施例において、左シート１１と右シート１２は、面部の中心線に関して対称であり、無論、本発明は、左シート１１と右シート１２が対称である形態に限定せず、他の実施例のような左シート１１と右シート１２が対称でない形態は認められ、人間工学の観点からみると、両側のシートが互いに対称である形態は、面部への貼着に有利となる。左側と右シートが互いに接着して面部の立体的輪郭に合わせる形状になることにより、面部によりよく貼着でき、従来の一枚のシート状の平面フェイスマスクを面部に貼着するとき、シワが生じやすくて面部への均一な密着が困難であり、面部への洗浄効果及び美容効果を損なうという欠点を解消することができる。  
【０１１７】
図５に示すように、前記左シート１１と右シート１２の先端部１１１、１２１の、人体の外鼻に対応する位置に上から下へと外向きに突出した突出部１１２、１２２があり、突出部１１２、１２２の下方に人体の口部に対応する開口部１１３、１２３があり、左右シートを接着させた後、開口部１１３と開口部１２３が一体的に結合し、口部にほぼ合わせる形状をなし、この場合、左シート１１と右シート１２の先端部の開口部１１３、１２３に接着材料を設ける必要がない。開口部１１３と開口部１２３の下部は一定のラジアンで円弧状になるように下向きに底端まで延伸し、底部の円弧段１１４、１２４を形成する。左シート１１の先端部１１１と右シート１２の先端部１２１はいずれも外鼻に対応する位置に上から下へと突起した突起部があるため、左シート１１と右シート１２が接着されると、外鼻部において自然に上から下へと突起して、外鼻によく貼着する。人体の口部に対応する開口部１１３、１２３の下方に、先端部１１１、１２１が一定のラジアンで円弧をなして下向きに延伸し底端に至り、これにより、左シート１１と右シート１２が接着されると、その下部に人体の顎部と自然に合わせて貼着する曲面が形成され、これにより面部によく貼着している。  
【０１１８】
図７は本実施例を面部に貼着した後の立体的形状をより直感的に示している。突出部１１２、１２２が接着されると、鼻とぴったり貼着した突起が形成される；開口部１１３、１２３によって画定された略楕円領域は口部に対応する。円弧段１１４、１２４を接着させた後も立体的曲面を形成し、これにより人体の顎部によりよく貼着する。上記したように、本発明の実施例は従来の平面フェイスマスクと比べ、面部の立体的輪郭によりよく合わせるため、面部によく貼着でき、且つ面部を均一に洗浄し、ケアすることができる。  
【０１１９】
更に、前記左シート１１と右シート１２の先端部１１１、１２１において、前記突起部１１２、１２２の上方に位置し、目と眉間に対応する位置に更に、内向きに窪んだ凹部１１５、１２５があり、この凹部は略半楕円状、又は略半円状とし、左シートと右シートを接着させた後、目が適宜露出しており、フェイスマスクに被覆されていない部分を多く出さないものであればよい。この場合、前記左シート１１と右シート１２のそれぞれの先端部において、人体の口部に対応する開口部１１３、１２３に接着材料を設けず、また、目に対応する凹部１１５、１２５に接着材料を設けない。すなわち、先端部において、人体の口部に対応する開口部１１３、１２３、目と眉間に対応する凹部１１５、１２５を除く領域に接着材料が設けられ、且つ互いに接着される。  
【０１２０】
更に、図５に示すように、前記左シート１１と右シート１２の後端に、フェイスマスクを人体の頭部に固定するための固定テープ１１８、１２８を有し、更に、前記固定テープ１１８、１２８の尾端に面ファスナー１１９、１２９がある。これにより本発明の立体フェイスマスクを面部に貼着した後、固定テープで頭部を一周して固定し、更に面ファスナーで定着することができる。面ファスナー（ＨＯＯＫ＆ＬＯＯＰ）は、衣類によく使用される補助材であり、繊細で柔らかい繊維による、ループ状に密集して起毛された側（ＬＯＯＰ）と、フック状に起毛された硬質側（ＨＯＯＫ）により構成される。  
【０１２１】
本実施例において、図５に示すように、前記立体フェイスマスク１０の左シート１１及び右シート１２の面部に対応するシート部１１６、１２６は少なくとも３層の構造を含み、図８は該３層構造の断面図を示しており、前記３層の構造は外側から内側へと順に、気体透過性材料からなる外層１３１、空気との接触により発熱する発熱組成物１３２１が充填され、且つ少なくとも前記外層と接触した上封止面が気体透過性材料からなる発熱層１３２、防水保温機能を有する材料からなる保温層１３３である。粒子状、又は粉末状の発熱組成物１３２１は発熱層１３２内に充填され、保温層１３３は皮膚１４と直接接触する。  
【０１２２】
該実施例において、立体フェイスマスクの３層の構造は一体的に接着され、例えば、接着剤、又は熱接着により、一体的に皮膚に直接つけられる。実際の生産及び使用において、保温層が外層、発熱層に接着していないことも可能であり、すなわち、使用時に、まず皮膚に保温層を単独で付与しておき、次いで発熱層及び外層を付与することで、同様に発熱保温効果を得ることができる。  
【０１２３】
フェイスマスクは面部洗浄のうえで、補水や保湿、美白、老化防止など他のケア機能を実現するものとして使用されており、その使用効果を向上させるべく、関連研究や開発、及び改良が行われている。本発明の実施例において、立体フェイスマスクのシートの面部に対応する位置に３層の構造が設けられ、特に外層、発熱層に加え、発熱層と面部の皮膚との間に、防水保温機能を有する材料からなる保温層を増設し、使用時に、保温層の設置により、発熱層からの放熱が皮膚に均一且つ安定的に伝達され、且つ皮膚に伝達された熱が直ちに散逸することが回避され、これにより、初期温度が高すぎることで低温やけどを引き起こす恐れを解消し、且つ皮膚の温度を適切な範囲に効果的且つ安定的に維持する。また、該保温層の設置により、外用のスキンケア製品、外用薬又はサプリメント中の水分や油、又は皮膚の排出した汗が気体透過層に浸入することを防止し、これにより最高発熱温度を制御しにくいという問題を解消するとともに、外用製品使用時の相互汚染、皮膚感染などの問題が回避される。本発明のフェイスマスクの実施例を使用する場合、発熱層と保温層によってなされた持続的な温熱状態により、皮膚に快適感をもたらし、血行を改善し、皮膚の毛穴を拡大させ、汗及び油脂などの汚れを排出させる。従来の栄養パック及びスキンケア製品とともに使用すると、皮膚による従来のフェイスマスク及びスキンケア製品の有効成分に対する吸収を向上させ、これによりスキンケア製品の使用量を減らしながらスキンケア効果を高めることができ、便利であり、資源を節約し、環境に優しい。更に、本発明は上記３層構造を有するため、立体フェイスマスクに用いると、立体フェイスマスクを面部によりよく貼着でき、これにより、面部への洗浄効果及びスキンケア効果を均一にすることに有利となる。本発明の実施例により、フェイスマスクの面部への洗浄効果及びケア効果を大幅に向上させるといえる。  
【０１２４】
該実施例において、外層１３１は紡績布とし、発熱層１３２の上下封止面はいずれも気体透過性フィルム、保温層１３３は医療用保温防寒フィルムと金色又は銀色の金属材料からなる金属化フィルムを採用する。実際に使用するとき、外層１３１と発熱層１３２の上封止面（下封止面を含む場合もある）が気体透過性材料からなることを保証するだけでよく、気体透過性材料について具体的に限定せず、空気を発熱層に効果的に導入できる発熱組成物であればよい。気体透過性材料の気体透過性は発熱組成物のタイプ、使用量、所定の発熱温度などに基づき、気体透過孔の大きさ、数などを適宜設定することで調節することができる。気体透過性材料の厚さは、本発明の効果を損なわない範囲とすることができる。気体透過性及び支持機能を実現する前提下で、薄い方が好ましい。  
【０１２５】
保温層１３３は、ＰＥＴフィルムと金色又は銀色の金属材料からなる金属化ＰＥＴフィルムとする。例えば、本実施例において、保温層は物理気相成長プロセスによりＰＥＴフィルムを金属化することで形成される。真空条件下で、加熱などの物理的方法により、金属表面を気化させ、気化した金属原子が金属蒸気源付近の冷ＰＥＴフィルムに凝集又は沈積させるものである。本実施例において、金属化ＰＥＴフィルムに使用する金属はアルミニウムとし、真空条件下で、加熱の方式により固体状態のアルミニウムを容易に気体状態に変換することができ、ＰＥＴフィルムの耐熱性が他のポリマーフィルムより優れ、且つアルミニウムとの結合性能に優れる。ＰＥＴフィルムのアルミニウム被覆層は金属光沢を帯びており、反射率が高く、厚さ４００Åのアルミニウム被覆層の反射率は９０％に達しており、保温効果に優れ、且つ水分や気体透過抑止性能が極めて高い。無論、他の実施例においては、ニッケル又はクロムなど他の金属や、金属組成物とすることもできる。該金属化ＰＥＴフィルムが金属箔よりはるかに薄く、その厚さは０．５μm以下である。該金属化ＰＥＴフィルムは可撓性、防水効果に優れ、且つ経時的色褪せ又は変色が生じない。金色又は銀色の反射型金属被覆フィルムは熱反射性能に優れ、熱放射を防止でき、保温層と皮膚との間の熱を９０％以上保持することができ、金属の導入は、発熱層中の熱を皮膚に均一、且つ迅速に伝達させて、体温を効果的に調節することに有利となる。且つ、金色又は銀色の金属被覆フィルムは製品に美感を与え、使い心地向上の効果がある。ポリエチレンテレフタラート（ＰＥＴ）フィルムの他に、配向ポリプロピレン（ＯＰＰ）フィルム、ナイロン、ポリエチレン及び無延伸ポリプロピレンも本発明における金属被覆プロセスに使用することができる。  
【０１２６】
更に、該実施例において、発熱層１３２に格子１３２２が設けられる。粒子状又は粉末状の発熱組成物１３２１は、各格子１３２２内に閉じ込められる。格子１３２２を設けることにより、輸送中、又は使用時に、粒子状の発熱組成物１３２１は、外力により発熱層１３２の一部に集中して局所的に熱くなりすぎ、発熱が不均一になることが回避される。  
【０１２７】
該実施例において、格子１３２２は、発熱層１３２において外層１３１と接触する上封止面と、保温層１３３と接触する下封止面とが接着スリットを介して熱接着されてなる。格子１３２２は発熱層１３２の上下封止面材料と一括成型される。生産時に、発熱層の接着金型に格子状のパターンが設けられ、金型を加熱することにより、金型の突起部で封止面材料を互いに接着させて成形する。無論、本分野の他の周知技術により格子を製造することもできる。  
【０１２８】
該実施例において、自己発熱保温型立体フェイスマスクは使用前に密封包装されている。発熱層における発熱組成物が使用前に空気中の酸素と水分によって酸化されることを防止すべく、本発明の密封包装は、プラスチックフィルムなど、気体がほぼ透過できない任意の材料により構成することができる。  
【０１２９】
該実施例において、発熱組成物は、医療用鉄粉５０重量部と、活性炭１５重量部と、塩５重量部と、ヒル石３重量部と、吸水性樹脂１重量部と、水５重量部と、珪藻土１重量部とを含む。  
【０１３０】
該実施例において、外層と保温層はいずれもフィルムとし、フェイスマスクの厚さは主に発熱層によって決められ、面部の皮膚に使用するとき、３８−５５℃の発熱温度、１０−２５分間の発熱時間を確保するために、該フィルムの厚さを２−８ｍｍとし、すなわち、発熱層内に充填された粒子状の発熱組成物の全厚さは約２−８ｍｍとし、該厚さにより、フェイスマスクを面部によく貼着することができる。  
実施例５  
【０１３１】
図９は、本発明の立体フェイスマスクのもう一つの実施例であり、実施例４との相違点は、本実施例の立体フェイスマスクは、口部に対応する開口部を除き、残りの部位が全部密封されることである。つまり、実施例４と異なり、左シート１１と右シート１２の先端部２１１、２２１の、目と眉間に対応する位置に凹部がない。本実施例において、前記左シート１１と右シート１２の先端部２１１、２２１に、前記突起部２１２、２２２の上方に位置し、面部の眉間に対応する位置に内向きに少し窪んだ凹弧２１５、２２５があり、凹弧２１５、２２５に接着材料が設けられる。前記突起部の上方の、面部の眉間に対応する位置に内向きに少し窪んだ凹弧２１５、２２５があるため、左シート１１と右シート１２が接着されると、該凹弧２１５、２２５、すなわち面部の眉間と外鼻の鼻根に対応する位置において、内向きに少し窪んだ凹みが形成され、これにより、面部の眉間と鼻根の窪んだ位置によりよく密着できる。これについては、図１０に示す本立体フェイスマスクの実施例が面部に貼着された状態の概略図により、明瞭に示している。  
【０１３２】
本実施例の立体フェイスマスクを使用する場合、口部にのみ開口部があり（鼻孔の下部を含む）、残りの部位が全部密封され、面部のほぼ全域に対して洗浄及びケアを行うことができる。且つ、フェイスマスクの３層構造における発熱層及び保温層により温パックして、目へのケアを行い、眼球乾燥症を予防することができる。  
実施例６  
【０１３３】
該実施例において、立体フェイスマスクの保温層における皮膚と接触する表面上に、前記フィルムを使用者の体の部位に固定するためのハイドロゲル層が更に設けられる。ハイドロゲル（Ｈｙｄｒｏｇｅｌ）は接着剤として、フィルムを体の部位に固定することができる。  
【０１３４】
ハイドロゲルは水を分散媒とし、ゲルを皮膚に貼着すると、体温の影響によりゲル内部の物理的構造が固体から液体に変わり、且つ皮膚内に浸入する。これにより、本発明の更なる改良形態として、ハイドロゲル基質にコラーゲン、ヒアルロン酸、アルブチン、ニコチンアミド、精油、又は他のスキンケア製品、外用薬の活性成分などの機能性成分を添加することができる。本発明の自己発熱保温型フィルムは防水保温機能のある保温層を有するため、ハイドロゲル中の水分が発熱層に浸入できず、これにより発熱層の最高発熱温度に影響することはない。保温層の設置によりハイドロゲル中の熱を保持し、迅速に散逸することを防止することができる。  
実施例７  
【０１３５】
該実施例において、実施例４との相違点は、発熱組成物の構成の違いのみであり、発熱組成物は、医療用鉄粉３０重量部と、活性炭１０重量部と、塩１重量部と、ヒル石１３重量部と、吸水性樹脂５重量部と、水１重量部と、珪藻土５重量部とを含む。  
実施例４−７の技術的効果  
【０１３６】
本発明の自己発熱保温型立体フェイスマスクの美容効果及びスキンケア効果をテストするために、５０名の被験者を募集し、被験者の面部に市販の従来のフェイスマスクを貼着し、次いで被験者の顔の左側、又は顔の右側に本発明の実施例７により製造された自己発熱保温型立体フェイスマスクをつけ、手で軽く押さえ付けて面部に固定し、１５分間後に、本発明のフェイスマスクと従来のフェイスマスクを剥がし、顔の左側と右側での使用効果について被験者に聞いたところ、ほとんどの被験者は、本発明の自己発熱保温型立体フェイスマスクをつけた側に快適感がより高いと回答し、含水量を測定した結果、従来のフェイスマスクを単独で使用する側と比べ、ほとんどの被験者では、本発明の自己発熱保温型立体フェイスマスクをつけた側の含水量がより高く、直接観察では、本発明の自己発熱保温型フェイスマスクをつけた側がよりすべすべしており、潤いがある印象だった。  
【０１３７】
本発明の自己発熱保温型立体フェイスマスクは、構造がシンプルで、その製造は自然資源によって制限されず、外部からのエネルギー供給を不要とし、安全に、安定的に、且つ均一に発熱し、発熱時間を効果的に引き延ばし、最高発熱温度を下げることができる。発熱層と保温層によってなされた持続的な温熱状態により、皮膚に快適感をもたらし、血行を改善し、皮膚の毛穴を拡大させ、汗及び油脂などの汚れを排出させる。従来の栄養パック及びスキンケア製品とともに使用すると、皮膚による従来のフェイスマスク及びスキンケア製品の有効成分に対する吸収を向上させ、これによりスキンケア製品の使用量を減らしながらスキンケア効果を高めることができ、便利であり、資源を節約し、環境に優しい。従来技術によるフェイスマスクは効能が単純で、自己発熱機能と保温機能を備えず、その有効成分は皮膚によって吸収されにくく（特に、環境温度が低くて面部の毛穴が縮小した場合）、冬のような乾燥の季節や、寒冷な地区で従来のシート状又は泥状のフェイスマスクを使用するときに、冷たくて不快感を覚えるため、使用を中止してしまい、その結果、皮膚への補水が必要なのに、しかるべき機能を果たすことができない。本発明のフェイスマスクは従来技術によるフェイスマスクなどのスキンケア製品に改良を加え、その欠点を解消する。  
【０１３８】
且つ、本発明の自己発熱保温型立体フェイスマスクは低コストで、使い捨てとし、接触状態で面部、又は皮膚が敏感な他の部位に安全に、衛生的に使用することができ、繰り返し使用する皮膚接触型物理的発熱装置に求められる消毒操作と、基準を満たさない消毒操作による衛生面のリスクが回避される。使用後に、有毒性物質による汚染の恐れがなく、発熱材料を回収して、土壌の質を改善する材料として再利用することができる。  
実施例８  
【０１３９】
実施例８において、図１２に示すように、フェイスマスク１０は、目に対応する位置に孔２０１、口部に対応する位置に孔２０２、鼻孔に対応する位置に孔１３が設けられる。フェイスマスク１０の両側に更に、フェイスマスクを人体の頭部に固定するための固定テープ１４があり、固定テープ１４の尾端に面ファスナー１５がある。  
【０１４０】
本発明のフェイスマスク１０を面部に貼着した後、固定テープ１４で頭部を一周して固定し、更に面ファスナー１５で定着することができる。  
【０１４１】
本実施例において、図１２に示すように、前記フェイスマスク１０の面部に対応する位置１６に少なくとも３層の構造を有し、図１３は該３層構造の断面図を示しており、前記３層の構造は外側から内側へと順に、気体透過性材料からなる外層１６１、空気との接触により発熱する発熱組成物１６２１が充填され、且つ少なくとも前記外層と接触した上封止面が気体透過性材料からなる発熱層１６２、防水保温機能を有する材料からなる保温層１６３である。粒子状又は粉末状の発熱組成物１６２１は発熱層１６２内に充填され、保温層１６３は皮膚１７と直接接触する。  
【０１４２】
該実施例において、フェイスマスク１０の３層の構造は一体的に接着され、例えば、接着剤、又は熱接着により、一体的に皮膚に直接つけられる。実際の生産及び使用において、保温層が外層、発熱層に接着していないことも可能であり、すなわち、使用時に、まず皮膚に保温層を単独で付与しておき、次いで発熱層及び外層を付与することで、同様に発熱保温効果を得ることができる。  
【０１４３】
該実施例において、外層１６１は紡績布とし、発熱層１６２の上下封止面はいずれも気体透過性フィルム、保温層１６３は医療用保温防寒フィルムと金色又は銀色の金属材料からなる金属化フィルムを採用する。実際に使用するとき、外層１６１と発熱層１６２の上封止面（下封止面を含む場合もある）が気体透過性材料からなることを保証するだけでよく、気体透過性材料について具体的に限定せず、空気を発熱層に効果的に導入できる発熱組成物であればよい。  
【０１４４】
保温層１６６は、ＰＥＴフィルムと金色又は銀色の金属材料からなる金属化ＰＥＴフィルムである。例えば、本実施例において、保温層は物理気相成長プロセスによりＰＥＴフィルムを金属化することで形成される。  
【０１４５】
更に、該実施例において、発熱層１６２に格子１６２２が設けられる。粒子状又は粉末状の発熱組成物１６２１は、各格子１６２２内に閉じ込められる。格子１６２２を設けることにより、輸送中、又は使用時に、粒子状の発熱組成物１６２１は、外力により発熱層１６２の一部に集中して局所的に熱くなりすぎ、発熱が不均一になることが回避される。  
【０１４６】
該実施例において、格子１６２２は、発熱層１６２において外層１６１と接触する上封止面と、保温層１６３と接触する下封止面とが接着スリットを介して熱接着されてなる。格子１６２２は発熱層１６２の上下封止面材料と一括成型される。生産時に、発熱層の接着金型に格子状のパターンが設けられ、金型を加熱することにより、金型の突起部で封止面材料を互いに接着させて成形する。  
【０１４７】
該実施例において、自己発熱保温型フェイスマスクは使用前に密封包装されている。発熱層における発熱組成物が使用前に空気中の酸素と水分によって酸化されることを防止すべく、本発明の密封包装は、プラスチックフィルムなど、気体がほぼ透過できない任意の材料により構成することができる。  
【０１４８】
該実施例において、発熱組成物は、医療用鉄粉５０重量部と、活性炭１５重量部と、塩５重量部と、ヒル石３重量部と、吸水性樹脂１重量部と、水５重量部と、珪藻土１重量部とを含む。  
【０１４９】
該実施例において、外層と保温層はいずれもフィルムとし、フェイスマスクの厚さは主に発熱層によって決められ、面部の皮膚に使用するとき、３８−５５℃の発熱温度、１０−２５分間の発熱時間を確保するために、該フィルムの厚さを２−８ｍｍとし、すなわち、発熱層内に充填された粒子状の発熱組成物の全厚さは約２−８ｍｍとし、該厚さにより、フェイスマスクを面部によく貼着することができる。  
実施例９  
【０１５０】
図１４は、本発明の自己発熱保温型フェイスマスクのもう一つの実施例であり、実施例８との相違点は、フェイスマスク２０の目に対応する位置に孔を開設しないことであり、つまり、目の部分が密封される密封型フェイスマスクとする。  
【０１５１】
該実施例において、目に対応する位置に孔を開設しないため、口部及び鼻の位置を除く面部のほぼ全域に対して洗浄及びケアを行うことができる。且つ、フェイスマスクの３層構造における発熱層と保温層により温パックして、目へのケアを行い、眼球乾燥症を予防することができる。  
実施例１０  
【０１５２】
該実施例において、フェイスマスクの保温層における皮膚と接触する表面上に、前記フィルムを使用者の体の部位に固定するためのハイドロゲル層が更に設けられる。  
実施例１１  
【０１５３】
該実施例において、実施例８との相違点は、発熱組成物の構成の違いのみであり、発熱組成物は、医療用鉄粉３０重量部と、活性炭１０重量部と、塩１重量部と、ヒル石１３重量部と、吸水性樹脂５重量部と、水１重量部と部、珪藻土５重量部とを含む。  
実施例８−１１の技術的効果  
【０１５４】
本発明の自己発熱保温型立体フェイスマスクの美容効果及びスキンケア効果をテストするために、５０名の被験者を募集し、被験者の面部に市販の従来のフェイスマスクを貼着し、次いで被験者の顔の左側、又は顔の右側に本発明の実施例１１により製造された自己発熱保温型フェイスマスクをつけ、手で軽く押さえ付けて面部に固定し、１５分間後に、本発明のフェイスマスクと従来のフェイスマスクを剥がし、顔の左側と右側での使用効果について被験者に聞いたところ、ほとんどの被験者は、本発明の自己発熱保温型フェイスマスクをつけた側に快適感がより高いと回答し、含水量を測定した結果、従来のフェイスマスクを単独で使用する側と比べ、ほとんどの被験者では、本発明の自己発熱保温型フェイスマスクをつけた側の含水量がより高く、直接観察では、本発明の自己発熱保温型フェイスマスクをつけた側がよりすべすべしており、潤いがある印象だった。  
【０１５５】
本発明の自己発熱保温型フェイスマスクは、構造がシンプルで、その製造は自然資源によって制限されず、外部からのエネルギー供給を不要とし、安全に、安定的に、且つ均一に発熱し、発熱時間を効果的に引き延ばし、最高発熱温度を下げることができる。発熱層と保温層によってなされた持続的な温熱状態により、皮膚に快適感をもたらし、血行を改善し、皮膚の毛穴を拡大させ、汗及び油脂などの汚れを排出させる。従来の栄養パック及びスキンケア製品とともに使用すると、皮膚による従来のフェイスマスク及びスキンケア製品の有効成分に対する吸収を向上させ、これによりスキンケア製品の使用量を減らしながらスキンケア効果を高めることができ、便利であり、資源を節約し、環境に優しい。従来技術によるフェイスマスクは効能が単純で、自己発熱機能と保温機能を備えず、その有効成分は皮膚によって吸収されにくく（特に、環境温度が低くて面部の毛穴が縮小した場合）、冬のような乾燥の季節や、寒冷な地区で従来のシート状又は泥状のフェイスマスクを使用するときに、冷たくて不快感を覚えるため、使用を中止してしまい、その結果、皮膚への補水が必要なのに、しかるべき機能を果たすことができない。本発明のフェイスマスクは従来技術によるフェイスマスクなどのスキンケア製品に改良を加え、その欠点を解消する。  
【０１５６】
且つ、本発明の自己発熱保温型フェイスマスクは低コストで、使い捨てとし、接触状態で面部、又は皮膚が敏感な他の部位に安全に、衛生的に使用することができ、繰り返し使用する皮膚接触型物理的発熱装置に求められる消毒操作と、基準を満たさない消毒操作による衛生面のリスクが回避される。使用後に、有毒性物質による汚染の恐れがなく、発熱材料を回収して、土壌の質を改善する材料として再利用することができる。  
実施例１２  
【０１５７】
実施例１２において、図１５に示すように、前記アイシート３０の目に対応する位置３１６に少なくとも３層の構造を有し、図１６は該３層構造の断面図を示しており、前記３層の構造は、外側から内側へと順に、気体透過性材料からなる外層１６１と、空気との接触により発熱する発熱組成物１６２１が充填され、且つ少なくとも前記外層と接触した上封止面が気体透過性材料からなる発熱層１６２と、防水保温機能を有する材料からなる保温層１６３と、を含む。粒子状又は粉末状の発熱組成物１６２１は発熱層１６２内に充填され、保温層１６３は目の位置の皮膚１７と直接接触する。  
【０１５８】
該実施例において、アイシート３０の３層の構造は一体的に接着され、例えば、接着剤、又は熱接着により、一体的に目の位置に直接つけられる。実際の生産及び使用において、保温層が外層、発熱層に接着していないことも可能であり、すなわち、使用時に、まず皮膚に保温層を単独で付与しておき、次いで発熱層及び外層を付与することで、同様に発熱保温効果を得ることができる。  
【０１５９】
アイシートは、目への補水、疲れの解消、むくみやクマの迅速緩和、老化防止など、目へのケア目的で使用される。本発明の実施例において、アイシートの目に対応する位置に３層の構造が設けられ、発熱層の発熱により、目の周りの筋肉を緩め、血管を拡大させ、血行を促進することで、消炎、腫れの解消、目の乾きや痛み緩和の効果を果たすことができる。また、本発明において、外層、発熱層に加え、発熱層と面部の皮膚との間に、防水保温機能を有する材料からなる保温層を増設し、使用時に、保温層の設置により、発熱層からの放熱が皮膚に均一且つ安定的に伝達され、且つ皮膚に伝達された熱が直ちに散逸することが回避され、これにより、初期温度が高すぎることで低温やけどを引き起こす恐れを解消し、且つ皮膚の温度を適切な範囲に効果的且つ安定的に維持する。また、該保温層の設置により、外用のスキンケア製品、外用薬又はサプリメント中の水分や油、又は皮膚の排出した汗が気体透過層に浸入することを防止し、これにより最高発熱温度を制御しにくいという問題を解消するとともに、外用製品使用時の相互汚染、皮膚感染などの問題が回避される。本発明のアイシートの実施例を使用する場合、発熱層と保温層によってなされた持続的な温熱状態により、皮膚に快適感をもたらし、血行を改善し、皮膚の毛穴を拡大させ、汗及び油脂などの汚れを排出させる。従来の栄養パック及びスキンケア製品とともに使用すると、目の周りの皮膚による従来のスキンケア製品の有効成分に対する吸収を向上させ、これによりスキンケア製品の使用量を減らしながらスキンケア効果を高めることができ、便利であり、資源を節約し、環境に優しい。  
【０１６０】
該実施例において、外層１６１は紡績布とし、発熱層１６２の上下封止面はいずれも気体透過性フィルム、保温層１６３は医療用保温防寒フィルムと金色又は銀色の金属材料からなる金属化フィルムを採用する。実際に使用するとき、外層１６１と発熱層１６２の上封止面（下封止面を含む場合もある）が気体透過性材料からなることを保証するだけでよく、気体透過性材料について具体的に限定せず、空気を発熱層に効果的に導入できる発熱組成物であればよい。気体透過性材料の気体透過性は発熱組成物のタイプ、使用量、所定の発熱温度などに基づき、気体透過孔の大きさ、数などを適宜設定することで調節することができる。気体透過性材料の厚さは、本発明の効果を損なわない範囲とすることができる。気体透過性及び支持機能を実現する前提下で、薄い方が好ましい。  
【０１６１】
保温層１６６は、ＰＥＴフィルムと金属又は銀色金属材料からなる金属化ＰＥＴフィルムである。  
【０１６２】
更に、該実施例において、発熱層１６２に格子１６２２が設けられる。粒子状又は粉末状の発熱組成物１６２１は、各格子１６２２内に閉じ込められる。格子１６２２を設けることにより、輸送中、又は使用時に、粒子状の発熱組成物１６２１は、外力により発熱層１６２の一部に集中して局所的に熱くなりすぎ、発熱が不均一になることが回避される。  
【０１６３】
該実施例において、格子１６２２は、発熱層１６２において外層１６１と接触する上封止面と、保温層１６３と接触する下封止面とが接着スリットを介して熱接着されてなる。格子１６２２は発熱層１６２の上下封止面材料と一括成型される。生産時に、発熱層の接着金型に格子状のパターンが設けられ、金型を加熱することにより、金型の突起部で封止面材料を互いに接着させて成形する。無論、本分野の他の周知技術により格子を製造することもできる。  
【０１６４】
該実施例において、自己発熱保温型アイシートは使用前に密封包装されている。発熱層における発熱組成物が使用前に空気中の酸素と水分によって酸化されることを防止すべく、本発明の密封包装は、プラスチックフィルムなど、気体がほぼ透過できない任意の材料により構成することができる。  
【０１６５】
該実施例において、発熱組成物は、医療用鉄粉５０重量部と、活性炭１５重量部と、塩５重量部と、ヒル石３重量部と、吸水性樹脂１重量部と、水５重量部と、珪藻土１重量部とを含む。  
【０１６６】
該実施例において、外層と保温層はいずれもフィルムとし、アイシートの厚さは主に発熱層によって決められ、面部の皮膚に使用するとき、３８−５５℃の発熱温度、１０−２５分間の発熱時間を確保するために、該フィルムの厚さを２−８ｍｍとし、すなわち、発熱層内に充填された粒子状の発熱組成物の全厚さは約２−８ｍｍとし、該厚さにより、アイシートを面部によく貼着することができる。  
【０１６７】
該実施例において、前記アイシートの中心線において、その下半部にスリット３１５が設けられる。アイシートの下半部にわたり縦設されたスリット１５は、アイシートを目の位置に貼着した後に、鼻筋において、アイシートの左半部と右半部が自然に外向きに開き、これによりアイシートは人体の生理的形状に合わせており、アイシートを貼着した後、左半部と右半部は中央の鼻筋を境に、自然にスリットの両側へ開き、これにより、面部と目の位置によりよく貼着する。  
実施例１３  
【０１６８】
図１７は、本発明の自己発熱保温型アイシートのもう一つの実施例を示しており、実施例１２との相違点は、前記アイシート３０は、目に対応する位置２６に３層の構造を有するほか、耳掛け部３２１を更に有することであり、耳掛け部３２１はアイシートの主体に接着され、図中、２３で示した箇所は接着部であり、耳掛け部３２１に耳に掛けるための孔３２２が設けられる。耳掛け部３２１の設置により、使用時にアイシート３０を目の位置によく貼着することができ、移動したり脱落することが回避される。  
実施例１４  
【０１６９】
該実施例において、アイシートの保温層における皮膚と接触する表面上に、前記フィルムを使用者の目の位置に固定するためのハイドロゲル層が更に設けられる。  
実施例１５  
【０１７０】
該実施例において、実施例１２との相違点は、発熱組成物の構成の違いのみであり、発熱組成物は、医療用鉄粉３０重量部と、活性炭１０重量部と、塩１重量部と、ヒル石１３重量部と、吸水性樹脂５重量部と、水１重量部と、珪藻土５重量部とを含む。  
実施例１２−１５の技術的効果  
【０１７１】
本発明の自己発熱保温型アイシートの美容効果及びスキンケア効果をテストするために、５０名の被験者を募集し、被験者の面部に市販の従来のアイシートを貼着し、次いで被験者の左目、又は右目に本発明の実施例１５により製造された自己発熱保温型アイシートをつけ、手で軽く押さえ付けて面部に固定し、１５分間後に、本発明のアイシートと従来のアイシートを剥がし、左目と右目での使用効果について被験者に聞いたところ、ほとんどの被験者は、本発明の自己発熱保温型アイシートをつけた側に快適感がより高く、疲れがより速く解消されたと回答する。  
【０１７２】
本発明の自己発熱保温型アイシートは、構造がシンプルで、その製造は自然資源によって制限されず、外部からのエネルギー供給を不要とし、安全に、安定的に、且つ均一に発熱し、発熱時間を効果的に引き延ばし、最高発熱温度を下げることができる。発熱層と保温層によってなされた持続的な温熱状態により、皮膚に快適感をもたらし、血行を改善し、皮膚の毛穴を拡大させ、汗及び油脂などの汚れを排出させる。従来の目へのケア製品とともに使用すると、皮膚による従来のスキンケア製品の有効成分に対する吸収を向上させ、これによりスキンケア製品の使用量を減らしながらスキンケア効果を高めることができ、便利であり、資源を節約し、環境に優しい。従来技術によるアイシートは効能が単純で、自己発熱機能と保温機能を備えず、その有効成分は皮膚によって吸収されにくく（特に、環境温度が低くて面部の毛穴が縮小した場合）、冬のような乾燥の季節や、寒冷な地区で従来のシート状又は泥状のアイシートを使用するときに、冷たくて不快感を覚えるため、使用を中止してしまい、その結果、補水が必要なのに、しかるべき機能を果たすことができない。本発明のアイシートは従来技術によるアイシート製品に改良を加え、その欠点を解消する。  
【０１７３】
且つ、本発明の自己発熱保温型アイシートは低コストで、使い捨てとし、接触状態で面部、又は皮膚が敏感な他の部位に安全に、衛生的に使用することができ、繰り返し使用する皮膚接触型物理的発熱装置に求められる消毒操作と、基準を満たさない消毒操作による衛生面のリスクが回避される。使用後に、有毒性物質による汚染の恐れがなく、発熱材料を回収して、土壌の質を改善する材料として再利用することができる。
【手続補正３】
【補正対象書類名】図面
【補正対象項目名】全図
【補正方法】変更
【補正の内容】
【図１】
2017523850.tif 000001
【図２】
2017523850.tif 000002
【図３】
2017523850.tif 000003
【図４】
2017523850.tif 000004
【図５】
2017523850.tif 000005
【図６】
2017523850.tif 000006
【図７】
2017523850.tif 000007
【図８】
2017523850.tif 000008
【図９】
2017523850.tif 000009
【図１０】
2017523850.tif 000010
【図１１】
2017523850.tif 000011
【図１２】
2017523850.tif 000012
【図１３】
2017523850.tif 000013
【図１４】
2017523850.tif 000014
【図１５】
2017523850.tif 000015
【図１６】
2017523850.tif 000016
【図１７】
2017523850.tif 000017